(57)【要約】【課題】内軸を高さ調整操作する途中で手を離しても、内軸が大きく落下して下端に設けた掛具が頭に当たる等の危険を減少させること。【解決手段】本発明の物干竿等の支持装置は、支持具１に、支柱２の上端を取り付け、支柱２の下端には掛具５を取り付けてある。支柱２は、上部の外筒３と下部の内軸４とから成り、外筒３の内周には、内方向に突出する突条８が設けられ、そこに、間隔をおいて複数の縦長方形状の係止孔１１・・・１１を設けてある。内軸４には、突条８が摺動し回動を制限される制限溝７を設け、上部に保持具６を固定してある。保持具６には、係合具１２を軸１３で回動可能に、かつばね１４で外方に付勢して取り付けると共に、戻し具１５を取り付けてある。戻し具１５は、外周に設けた当接突起２５が突条８に当接して、係合具１２が係止孔１１に係合する回動位置方向に、内軸４を戻しばね２６の力で回動付勢している。【選択図】図１
2014233354.tif 000002
【特許請求の範囲】
【請求項１】
軒天等の被取付体に固定される支持具に支柱を取り付け、支柱の下部に物干竿等を掛ける掛具を設けてあり、支柱は、外筒と内軸を有し、外筒に対して内軸を上下移動かつ回動可能に設けて、内軸に取り付けた掛具の高さが調整可能である物干竿等の支持装置において、内軸においては、外周に一段低くなって上下方向に伸びる溝状の制限溝を設けると共に、外方に付勢された係合具を突出・没入可能に設けて成り、外筒においては、内周に上下方向に伸びて突出し、制限溝内を摺動可能かつ回動可能な突条を設けると共に、係止孔を上下方向に間隔をおいて複数設けて成り、内軸は、突条が制限溝の中で相対的に回動できる範囲内で、外筒に対して回動可能であって、制限溝の一端縁が突条の一端縁に当接した状態では、係合具は、係止孔が上下方向に設けられている回動位置にあり、係合具が係止孔と対応する高さ位置に達した時、係合具がその付勢力によって係止孔に係合可能であり、係合具が係止孔に係合している状態から上方に移動すると、係合具は係止孔から外れて内軸は回動可能となり、内軸を回動して、制限溝の他端縁を突条の他端縁に当接させると、係合具は、係止孔が上下方向に設けられていない回動位置になり、係止孔に係合することなく上下に移動できるよう案内される構成とし、内軸の上部には、外筒の突条に摺動可能に当接する戻し具を設け、戻し具は、係合具が係止孔と係合する回動位置に内軸を回動付勢して成ることを特徴とする物干竿等の支持装置。
【発明の詳細な説明】
【技術分野】
【０００１】
本発明は、軒天等の被取付体に取り付けて物干竿等を支持する支持装置であって、支柱の内軸に取り付けた掛具の高さを調整可能に構成した物干竿等の支持装置に関するものである。
【背景技術】
【０００２】
従来より、外筒に対して内軸を上下移動可能に設けられて、内軸に取り付けた掛具の高さが調整可能である物干竿等の支持装置は種々の発明が提案されており、例えば、特開２００５−２７９１９１号発明（従来例）においては、内ポール（内軸）に設けた前後方向に移動可能な突出片（係止ピン）を設けて、外ポール（外筒）に設けた複数の係合孔（係止孔）に選択的に係合させ得るように成し、内ポール（内軸）に取り付けた竿掛けアーム（掛具）の高さを調整可能としたものであり、内ポール（内軸）を持ち上げて、突出片（係止ピン）を外ポール（外筒）の係合孔（係止孔）から抜脱し、回動してから上下に移動することによって、竿掛けアーム（掛具）の高さを調整するものである。
【先行技術文献】
【特許文献】
【０００３】
【特許文献１】特開２００５−２７９１９１号公報
【発明の概要】
【発明が解決しようとする課題】
【０００４】
上記従来例においては、内ポール（内軸）を持ち上げて回動し、突出片（係止ピン）を別の係合孔（係止孔）に係合させる操作をする時に、突出片（係止ピン）が係合孔（係止孔）に係合する方向に、内ポール（内軸）が回動付勢されていないため、高さ調整の操作途中に内ポール（内軸）を戻さない状態で手を離してしまったら、突出片（係止ピン）が係合孔（係止孔）に係合せず、竿掛けアーム（掛具）を設けた内ポール（内軸）が大きく落下して危険であるという問題があり、本発明は、この問題を解決することを課題としている。
【課題を解決するための手段】
【０００５】
本発明は、上記の課題を解決するためのもので、軒天等の被取付体に固定される支持具に支柱を取り付け、支柱の下部に物干竿等を掛ける掛具を設けてあり、支柱は、外筒と内軸を有し、外筒に対して内軸を上下移動かつ回動可能に設けて、内軸に取り付けた掛具の高さが調整可能である物干竿等の支持装置において、内軸においては、外周に一段低くなって上下方向に伸びる溝状の制限溝を設けると共に、外方に付勢された係合具を突出・没入可能に設けて成り、外筒においては、内周に上下方向に伸びて突出し、制限溝内を摺動可能かつ回動可能な突条を設けると共に、係止孔を上下方向に間隔をおいて複数設けて成り、内軸は、突条が制限溝の中で相対的に回動できる範囲内で、外筒に対して回動可能であって、制限溝の一端縁が突条の一端縁に当接した状態では、係合具は、係止孔が上下方向に設けられている回動位置にあり、係合具が係止孔と対応する高さ位置に達した時、係合具がその付勢力によって係止孔に係合可能であり、係合具が係止孔に係合している状態から上方に移動すると、係合具は係止孔から外れて内軸は回動可能となり、内軸を回動して、制限溝の他端縁を突条の他端縁に当接させると、係合具は、係止孔が上下方向に設けられていない回動位置になり、係止孔に係合することなく上下に移動できるよう案内される構成とし、内軸の上部には、外筒の突条に摺動可能に当接する戻し具を設け、戻し具は、係合具が係止孔と係合する回動位置に内軸を回動付勢して成ることを特徴とする物干竿等の支持装置である。
【発明の効果】
【０００６】
本発明によれば、内軸に設けた掛具を持って高さ調整を操作する途中において、係合具が係止孔に係合しない回動位置で掛具の手を離してしまった場合でも、回動付勢された戻し具が内軸を、係合具が係止孔に係合する回動位置まで回動させるので、内軸と掛具が落下しても次の係止孔に係合具が係合してその位置で止まり、最下部まで大きく落下することがなく、掛具が頭に当たる等の危険を激減させることができるという効果がある。
【０００７】
また、高さ調整をする時に、係合具が係止孔に係合する回動位置まで意識的に戻さなくてもいいので、自然な操作感でスムーズに行なうことができるという効果もある。
【０００８】
さらに、使用中にも内軸は戻し具によって、回動付勢されているので、外筒に対して内軸がガタついたり、音が発生したりすることが少ないという効果もある。
【図面の簡単な説明】
【０００９】
【図１】全体斜視図である。
【図２】カバーを外して一部を断面にした要部の拡大斜視図である。
【図３】要部の縦断面図である。
【図４】図３の状態から、内軸を上方に移動させた状態の縦断面図である。
【図５】図３のＡ−Ａ線断面図である。
【図６】図５の状態から、内軸を上方に移動させた状態の断面図である。
【図７】図６の状態から、内軸を回動させた状態の断面図である。
【図８】外筒、内軸及びカバーの別々の断面図である。
【図９】係合具の突出する側から見た保持具及び内軸の上部の斜視図である。
【図１０】図９の裏側から見た保持具及び内軸の上部の斜視図である。
【図１１】保持具部分の分解斜視図である。
【図１２】保持具と戻し具と戻しばねの係合関係を説明する分解斜視図である。
【図１３】図３のＢ−Ｂ線断面図である。
【図１４】図１３の状態から、内軸を回動させた状態の断面図である。
【図１５】内軸を下方に移動させていく過程を示す縦断面図である。
【図１６】内軸を下方に移動させていく過程を示す縦断面図で、図１５よりさらに下方へ移動させ、内軸が下方へ移動しつつ回動させられ始めている状態の縦断面図である。
【図１７】内軸を下方に移動させていく過程を示す縦断面図で、図１６よりさらに下方へ移動させた状態で、内軸が下方へ移動しつつ回動させられて、係合具が最下方の係止孔に係合した状態（ここには図示されていない）の縦断面図である。
【実施例１】
【００１０】
本実施例の物干竿等の支持装置は、軒天に取り付けられる支持具１に、支柱２の上端を取り付け、支柱２の下端には、物干竿を掛ける複数の竿受部１８・・・１８を設けた掛具５を取り付けてある。
【００１１】
支柱２は、上部の外筒３と下部の内軸４とから成り、外筒３は、横断面形状が略円形パイプ状で、内周には、内方向に突出する断面略台形状の突条８が上下方向に伸びて設けられ、外周には、突条８に対応する位置に凹溝状の隠し溝９が幅方向の一側に偏って上下方向に伸びて設けられている。さらに、隠し溝９には、間隔をおいて複数の縦長方形状の係止孔１１・・・１１を内外に貫通するように設けてあり、その隠し溝９を全長に亘って塞ぐカバー３７を取り付けてある。
【００１２】
内軸４は、横断面形状が略円形パイプ状で、外周におよそ６０度に亘って一段低くなって上下方向に伸びる溝状の制限溝７を設け、さらに、その反対側におよそ４０度に亘って一段低くなって上下方向に伸びる溝状の逃げ溝１９を設けてある。また、内軸４には、制限溝７の幅方向の中央に、上端部から縦長に切り欠かれた切欠部３３を、逃げ溝１９の幅方向ほぼいっぱいに、上端部から縦長に切り欠かれた切欠部３４を設けてある。そして、内軸４の上部には、保持具６の一部を内部に挿入して固定してある。
【００１３】
保持具６は、略円柱状の胴部２１の上部に一段直径が大きい略円柱状の頭部２０を設けて成るもので、胴部２１には、縦長の収納溝２２を設け、その裏側に上からの垂直線に傾斜線が続いている一段高く突出している案内部１６を設けてある。収納溝２２には、前方の下端部に係合部２４を設けてある板状の係合具１２を、軸１３で回動可能に、かつばね１４で前方に付勢して、取り付けてある。また、頭部２０には、上方に開放され、さらに係合具１２が突出する方向に開口する開口部３１を有する収納凹部２３を設けてあり、収納凹部２３の中央には突軸２９を設け、その中央にねじ孔３０を設けてある。
【００１４】
戻し具１５は、略円盤状で中央に軸孔３２を設けると共に、外方に突出している当接突起２５を設けてあり、保持具６の収納凹部２３に回動可能に取り付けられるものである。収納凹部２３には、突軸２９に遊嵌するように戻しばね２６を収納すると共に、軸孔３２が突軸２９に遊嵌するように戻しばね２６の上から戻し具１５を収納する。この状態では、戻し具１５の当接突起２５は、保持具６頭部２０の開口部３１に位置し、戻しばね２６の両端は、保持具６に凹設した引掛部３６と戻し具１５に凹設した引掛部３５にそれぞれ係合している。そして、戻し具１５の上からワッシャー２７を載せて取付ねじ２８を突軸２９のねじ孔３０にねじ込み、戻し具１５を保持具６に回動可能に取り付ける。このように、本実施例においては、戻し具１５は、内軸４に保持具６を介して取り付けられている。
【００１５】
保持具６は、ばね１４を入れてから係合具１２を収納溝２２に収納して軸１３で支持させ、内軸４の上端部から、係合具１２を切欠部３３に、案内部１６を切欠部３４に対応させて挿入し、保持具６を内軸４の上部にねじ止めして取り付ける。この取付状態においては、保持具６の頭部２０が内軸４の上部から突出し、案内部１６が切欠部３４から露出し、係合具１２が切欠部３３から突出している状態となっている。このように、本実施例においては、係合具１２は、内軸４に保持具６を介して取り付けられている。
【００１６】
突条８が制限溝７内に位置するように、内軸４の下端を外筒３の上端から挿入し、上端部の係合具１２を押し込んで引っ込ませて、外筒３の突条８に接触させるようにすると共に、戻し具１５の当接突起２５を突条８の突出している縁（係止孔１１・・・１１が設けられている側の縁）に当接させて、内軸４とその上端の保持具６を外筒３の中に入れ込む。そして、外筒３の上端部に支持具１を取り付け、内軸４の下端部に掛具５を取り付ければ組立は完了する。戻し具１５の当接突起２５を突条８の突出している縁に当接させると、戻しばね２６がチャージされ、内軸４は、係合具１２が係止孔１１・・・１１に係合する回動位置方向に回動付勢されている状態になる。
【００１７】
なお、係合具１２が係止孔１１・・・１１に係合する回動位置とは、外筒３と内軸４の回動方向の位置関係において、係合具１２と係止孔１１・・・１１が同一垂直線上にある位置のことであり、係合具１２が係止孔１１に係合している時もあるし（図３及び図５参照）、係合具１２が係止孔１１に係合していない時もあるが（図４及び図６参照）、係合具１２が係止孔１１に現に係合しているか、内軸４を上か下に移動すれば、係合具１２が係止孔１１に係合できる回動方向の位置をいう。また逆に、係合具１２が係止孔１１・・・１１に係合しない回動位置とは、外筒３と内軸４の回動方向の位置関係において、係合具１２と係止孔１１・・・１１が同一垂直線上にない位置のことであり、図７に示すように内軸４を上下に移動しても係合具１２が係止孔１１・・・１１に係合しない回動方向の位置をいう。
【００１８】
係合具１２の係合部２４が一番上の係止孔１１の下端縁に係合している状態（図１、図２、図３及び図５参照）から、掛具５を持って内軸４を上方へ移動させると、係合具１２は、係止孔１１の上端縁に当接してその斜面により、ばね１４に抗して内方に回動し、係止孔１１から外れる（図４及び図６参照）。なお、係合具１２の係合部２４が係止孔１１の下端縁に係合している状態において、係合具１２はカバー３７によって塞がれ露出していないので（図３及び図５参照）、使用中に誤って係合具１２の先端を押して、その係合を外してしまう危険が少ない。また、このカバー３７は、係止孔１１・・・１１からごみが入るのを防ぐ効果もある。
【００１９】
その状態から、内軸４を下から見て左に回動すると、係合具１２の先端が突条８の摺動面１０に接触する状態となり（図７参照）、その垂直線上には係止孔１１・・・１１がないので、上下に移動可能な状態となり、適当な位置で内軸４を右に回動すると、係合具１２の係合部２４がその近くの位置にある係止孔１１と係合し、掛具５の高さ位置を変更することができる。内軸４を上下に移動させる時に、外方に付勢されている係合具１２は、主に、突条８の摺動面１０に接触している状態であるので、摺動面１０が磨り減ったとしても、摺動面１０は肉厚が厚く外筒３の強度が大きく低下することを回避することができる。
【００２０】
そして、上記のように内軸４を下から見て左に回動すると、戻し具１５は、その当接突起２５が突条８に当接しているので回動せず、内軸４と戻し具１５の両方に係合している戻しばね２６がさらにチャージされ、その戻しばね２６の復元力で内軸４を戻そうとする力、すなわち、係合具１２が係止孔１１に係合する回動位置の方向に、内軸４を回動付勢する力が働き、高さ調整の操作途中において、掛具５の手を離してしまった場合でも、係合具１２がその時のすぐ下にある係止孔１１に係合して止まり、内軸４が大きく落下するのを防止するようになっている。
【００２１】
なお、係合具１２をより上の係止孔１１に係合させる場合は、単に掛具５を持って内軸４を上方へ移動させるだけで、係合具１２が引っ込んで次の係止孔１１の位置に到達すると、ばね１４の付勢力でその係止孔１１に係合することになる。
【００２２】
また、係合具１２の先端が突条８の摺動面１０に接触している状態で、内軸４を下方に摺動していくと（図１５参照）、保持具６の案内部１６が外筒３の突起１７に接触し（図１６参照）、案内されて内軸４は回動し、さらに内軸４を下方に摺動していくと（図１７参照）、係合具１２が最下部の係止孔１１に係合するようになっており、内軸４が外筒３から抜けないようになっている。
【符号の説明】
【００２３】
１    支持具
２    支柱
３    外筒
４    内軸
５    掛具
７    制限溝
８    突条
１１    係止孔
１２    係合具
１５    戻し具
【図１】
2014233354.tif 000003
【図２】
2014233354.tif 000004
【図３】
2014233354.tif 000005
【図４】
2014233354.tif 000006
【図５】
2014233354.tif 000007
【図６】
2014233354.tif 000008
【図７】
2014233354.tif 000009
【図８】
2014233354.tif 000010
【図９】
2014233354.tif 000011
【図１０】
2014233354.tif 000012
【図１１】
2014233354.tif 000013
【図１２】
2014233354.tif 000014
【図１３】
2014233354.tif 000015
【図１４】
2014233354.tif 000016
【図１５】
2014233354.tif 000017
【図１６】
2014233354.tif 000018
【図１７】
2014233354.tif 000019